(57)【要約】【課題】媒体に対する筆記に情報を関連付ける。【解決手段】携帯端末７０では、筆記に対するコンテンツの対応付け時に、ブラウザ管理部７２が、その時点で画面に表示されているコンテンツのＵＲＬを記録し、筆跡管理部７３が、筆跡情報を取得して筆跡管理情報記憶部７４に記憶し、領域特定部７５が、筆跡管理情報記憶部７４に記憶された筆跡情報に基づいて、コンテンツを対応付ける媒体上の領域を特定し、対応情報管理部７６が、この特定された領域と記録されたＵＲＬとの対応情報を生成して対応情報記憶部７７に記憶する。また、筆記に対応付けられたコンテンツの読み出し時に、対応情報管理部７６が、指定された座標を含む領域に対応するＵＲＬを取得し、ブラウザ管理部７２が、そのＵＲＬのコンテンツを画面に表示する。【選択図】図１０
2011039794.tif 000002
【特許請求の範囲】
【請求項１】
媒体に対する筆記を電子化した筆記情報を取得する取得手段と、
前記取得手段により取得された前記筆記情報に基づいて、前記媒体上の領域を特定する領域特定手段と、
前記筆記に関連付ける情報を特定する情報特定手段と、
前記領域特定手段により特定された領域と、前記情報特定手段により特定された情報とを対応付けた対応情報を記憶する記憶手段と
を備えたことを特徴とする筆記情報処理装置。
【請求項２】
前記情報特定手段は、前記筆記に情報を関連付ける指示を受けた際に表示装置に表示されている情報を、前記筆記に関連付ける情報として特定することを特徴とする請求項１に記載の筆記情報処理装置。
【請求項３】
前記領域特定手段は、自装置が予め定めた状態にある間に前記取得手段により取得された前記筆記情報に基づいて、前記媒体上の領域を特定することを特徴とする請求項１又は２に記載の筆記情報処理装置。
【請求項４】
前記領域特定手段は、前記筆記情報に含まれる予め定めた形状の筆記単位に基づいて、前記媒体上の領域を特定することを特徴とする請求項１又は２に記載の筆記情報処理装置。
【請求項５】
媒体上の位置を示す画像が印刷された当該媒体から当該画像を読み取ることにより、当該媒体に対する筆記を電子化した筆記情報を生成する筆記情報生成装置と、
前記筆記情報生成装置により生成された前記筆記情報を処理する筆記情報処理装置と
を備え、
前記筆記情報生成装置は、
前記筆記情報を前記筆記情報処理装置に送信する送信手段を備え、
前記筆記情報処理装置は、
前記筆記情報を前記筆記情報生成装置から受信する受信手段と、
前記受信手段により受信された前記筆記情報に基づいて、前記媒体上の領域を特定する領域特定手段と、
前記筆記に関連付ける情報を特定する情報特定手段と、
前記領域特定手段により特定された領域と、前記情報特定手段により特定された情報とを対応付けた対応情報を記憶する記憶手段と
を備えたことを特徴とする筆記情報処理システム。
【請求項６】
前記筆記情報処理装置は、情報を表示する表示手段を更に備え、
前記情報特定手段は、前記筆記に情報を関連付ける指示を受けた際に前記表示手段に表示されている情報を、前記筆記に関連付ける情報として特定することを特徴とする請求項５に記載の筆記情報処理システム。
【請求項７】
前記領域特定手段は、前記筆記情報生成装置が予め定めた状態にある間に前記送信手段により送信された前記筆記情報に基づいて、前記媒体上の領域を特定することを特徴とする請求項５又は６に記載の筆記情報処理システム。
【請求項８】
前記筆記情報生成装置は、前記筆記情報に含まれる予め定めた形状の筆記単位を検出する検出手段を更に備え、
前記送信手段は、前記検出手段により前記筆記単位が検出された場合に、前記筆記情報を前記筆記情報処理装置に送信し、
前記領域特定手段は、前記筆記単位に基づいて、前記媒体上の領域を特定することを特徴とする請求項５又は６に記載の筆記情報処理システム。
【請求項９】
前記筆記情報処理装置は、前記筆記情報に含まれる予め定めた形状の筆記単位を検出する検出手段を更に備え、
前記領域特定手段は、前記検出手段により前記筆記単位が検出された場合に、当該筆記単位に基づいて、前記媒体上の領域を特定することを特徴とする請求項５又は６に記載の筆記情報処理システム。
【請求項１０】
コンピュータに、
媒体に対する筆記を電子化した筆記情報を取得する機能と、
取得された前記筆記情報に基づいて、前記媒体上の領域を特定する機能と、
前記筆記に関連付ける情報を特定する機能と、
前記特定された領域と前記特定された情報とを対応付けた対応情報を記憶する機能と
を実現させるためのプログラム。
【発明の詳細な説明】
【技術分野】
【０００１】
本発明は、筆記情報処理装置、筆記情報処理システム、プログラムに関する。
【背景技術】
【０００２】
入力デバイスとして電子ペンを利用することにより、新聞、雑誌、その他の印刷物上のコンテンツをデジタルデータの形態で容易に取得することを可能にする技術が知られている（例えば、特許文献１参照）。この特許文献１の技術では、ユーザが、ページ情報及び位置情報に対応付けられたドットパターンが形成された印刷物上に印刷された新聞、雑誌等のコンテンツ中の所望のコンテンツを電子ペンで指定すると、そのコンテンツのデータをデータベースから取得し、ユーザの端末へ送信している。
【先行技術文献】
【特許文献】
【０００３】
【特許文献１】特開２００４−２１８９９号公報
【発明の概要】
【発明が解決しようとする課題】
【０００４】
本発明の目的は、媒体に対する筆記に情報を関連付けることにある。
【課題を解決するための手段】
【０００５】
請求項１に記載の発明は、媒体に対する筆記を電子化した筆記情報を取得する取得手段と、前記取得手段により取得された前記筆記情報に基づいて、前記媒体上の領域を特定する領域特定手段と、前記筆記に関連付ける情報を特定する情報特定手段と、前記領域特定手段により特定された領域と、前記情報特定手段により特定された情報とを対応付けた対応情報を記憶する記憶手段とを備えたことを特徴とする筆記情報処理装置である。
請求項２に記載の発明は、前記情報特定手段は、前記筆記に情報を関連付ける指示を受けた際に表示装置に表示されている情報を、前記筆記に関連付ける情報として特定することを特徴とする請求項１に記載の筆記情報処理装置である。
請求項３に記載の発明は、前記領域特定手段は、自装置が予め定めた状態にある間に前記取得手段により取得された前記筆記情報に基づいて、前記媒体上の領域を特定することを特徴とする請求項１又は２に記載の筆記情報処理装置である。
請求項４に記載の発明は、前記領域特定手段は、前記筆記情報に含まれる予め定めた形状の筆記単位に基づいて、前記媒体上の領域を特定することを特徴とする請求項１又は２に記載の筆記情報処理装置である。
請求項５に記載の発明は、媒体上の位置を示す画像が印刷された当該媒体から当該画像を読み取ることにより、当該媒体に対する筆記を電子化した筆記情報を生成する筆記情報生成装置と、前記筆記情報生成装置により生成された前記筆記情報を処理する筆記情報処理装置とを備え、前記筆記情報生成装置は、前記筆記情報を前記筆記情報処理装置に送信する送信手段を備え、前記筆記情報処理装置は、前記筆記情報を前記筆記情報生成装置から受信する受信手段と、前記受信手段により受信された前記筆記情報に基づいて、前記媒体上の領域を特定する領域特定手段と、前記筆記に関連付ける情報を特定する情報特定手段と、前記領域特定手段により特定された領域と、前記情報特定手段により特定された情報とを対応付けた対応情報を記憶する記憶手段とを備えたことを特徴とする筆記情報処理システムである。
請求項６に記載の発明は、前記筆記情報処理装置は、情報を表示する表示手段を更に備え、前記情報特定手段は、前記筆記に情報を関連付ける指示を受けた際に前記表示手段に表示されている情報を、前記筆記に関連付ける情報として特定することを特徴とする請求項５に記載の筆記情報処理システムである。
請求項７に記載の発明は、前記領域特定手段は、前記筆記情報生成装置が予め定めた状態にある間に前記送信手段により送信された前記筆記情報に基づいて、前記媒体上の領域を特定することを特徴とする請求項５又は６に記載の筆記情報処理システムである。
請求項８に記載の発明は、前記筆記情報生成装置は、前記筆記情報に含まれる予め定めた形状の筆記単位を検出する検出手段を更に備え、前記送信手段は、前記検出手段により前記筆記単位が検出された場合に、前記筆記情報を前記筆記情報処理装置に送信し、前記領域特定手段は、前記筆記単位に基づいて、前記媒体上の領域を特定することを特徴とする請求項５又は６に記載の筆記情報処理システムである。
請求項９に記載の発明は、前記筆記情報処理装置は、前記筆記情報に含まれる予め定めた形状の筆記単位を検出する検出手段を更に備え、前記領域特定手段は、前記検出手段により前記筆記単位が検出された場合に、当該筆記単位に基づいて、前記媒体上の領域を特定することを特徴とする請求項５又は６に記載の筆記情報処理システムである。
請求項１０に記載の発明は、コンピュータに、媒体に対する筆記を電子化した筆記情報を取得する機能と、取得された前記筆記情報に基づいて、前記媒体上の領域を特定する機能と、前記筆記に関連付ける情報を特定する機能と、前記特定された領域と前記特定された情報とを対応付けた対応情報を記憶する機能とを実現させるためのプログラムである。
【発明の効果】
【０００６】
請求項１の発明によれば、媒体に対する筆記に情報を関連付けることができる。
請求項２の発明によれば、表示装置に情報が表示された状態で指示することにより、媒体に対する筆記にその情報を関連付けることができる。
請求項３の発明によれば、情報を関連付ける領域が、本構成を有していない場合に比較して、正確に特定される。
請求項４の発明によれば、情報を関連付ける領域が、筆記を継続する操作によって特定される。
請求項５の発明によれば、媒体に対する筆記に情報を関連付けることができる。
請求項６の発明によれば、表示装置に情報が表示された状態で指示することにより、媒体に対する筆記にその情報を関連付けることができる。
請求項７の発明によれば、情報を関連付ける領域が、本構成を有していない場合に比較して、正確に特定される。
請求項８の発明によれば、情報を関連付ける領域が、筆記を継続する操作によって特定される。
請求項９の発明によれば、情報を関連付ける領域が、筆記を継続する操作によって特定される。
請求項１０の発明によれば、媒体に対する筆記に情報を関連付けることができる。
【図面の簡単な説明】
【０００７】
【図１】本発明の実施の形態が適用されるコンピュータシステムの構成例を示した図である。
【図２】本発明の実施の形態における文書サーバの機能構成例を示したブロック図である。
【図３】本発明の実施の形態における識別情報サーバの機能構成例を示したブロック図である。
【図４】本発明の実施の形態における印刷文書出力時の動作例を示したシーケンス図である。
【図５】本発明の実施の形態で生成される符号画像の例を示した図である。
【図６】本発明の実施の形態で記憶される媒体管理情報の例を示した図である。
【図７】本発明の実施の形態における操作例を示した図である。
【図８】本発明の実施の形態の第１の実施例におけるデジタルペンの構成例を示した図である。
【図９】本発明の実施の形態の第１の実施例におけるデジタルペンの制御回路の機能構成例を示したブロック図である。
【図１０】本発明の実施の形態の第１の実施例における携帯端末の機能構成例を示したブロック図である。
【図１１】本発明の実施の形態の第１の実施例におけるデジタルペンの動作例を示したフローチャートである。
【図１２】本発明の実施の形態の第１の実施例における携帯端末の動作例を示したフローチャートである。
【図１３】本発明の実施の形態で用いられる筆跡管理情報の例を示した図である。
【図１４】本発明の実施の形態で記憶される対応情報の例を示した図である。
【図１５】本発明の実施の形態の第２の実施例におけるデジタルペンの構成例を示した図である。
【図１６】本発明の実施の形態の第２の実施例におけるデジタルペンの制御回路の機能構成例を示したブロック図である。
【図１７】本発明の実施の形態の第２の実施例における携帯端末の機能構成例を示したブロック図である。
【図１８】本発明の実施の形態の第２の実施例におけるデジタルペンの動作例を示したフローチャートである。
【図１９】本発明の実施の形態の第２の実施例における携帯端末の動作例を示したフローチャートである。
【図２０】本発明の実施の形態の第３の実施例におけるデジタルペンの制御回路の機能構成例を示したブロック図である。
【図２１】本発明の実施の形態の第３の実施例における携帯端末の機能構成例を示したブロック図である。
【図２２】本発明の実施の形態の第３の実施例におけるデジタルペンの動作例を示したフローチャートである。
【図２３】本発明の実施の形態の第３の実施例における携帯端末の動作例を示したフローチャートである。
【図２４】本発明の実施の形態を実現可能なコンピュータのハードウェア構成例を示した図である。
【発明を実施するための形態】
【０００８】
以下、添付図面を参照して、本発明の実施の形態について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０とがネットワーク８０に接続されることにより構成されている。また、このコンピュータシステムは、デジタルペン６０と、携帯端末７０とを更に含んでおり、携帯端末７０は、ネットワーク８０に接続された基地局８５と無線通信可能になっている。
【０００９】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【００１０】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、プリンタの機能のみを備えたものであってもよいし、他にスキャナやファクシミリの機能を備えたものであってもよい。ここで、画像形成装置４０における画像形成方式としては、例えば、電子写真方式を用いるとよいが、その他の方式を用いてもよい。尚、以下では、媒体に付与する識別情報を識別情報サーバ３０が発行するものとして説明するが、システム内で重複なく発行できるのであれば識別情報はどの装置で発行してもよく、この画像形成装置４０で発行するようにしてもよい。その場合は、例えば、画像形成装置４０の機械番号と画像形成装置４０におけるプリントカウントの値とを結合したものを識別情報として用いるとよい。
【００１１】
デジタルペン６０は、電子筆記具の一例であり、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形を電子化した情報（以下、「筆跡情報」という）をこの位置情報に基づいて生成し記憶する。即ち、本実施の形態において、デジタルペン６０は、筆記情報生成装置の一例でもある。尚、本実施の形態では、筆記を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であってもよい。
【００１２】
携帯端末７０は、情報の一例であるコンテンツを表示手段の一例である画面にブラウザによって表示することが可能なコンピュータ装置である。また、デジタルペン６０と通信回線を介して接続されており、デジタルペン６０で生成された筆跡情報を受け取って処理する。即ち、本実施の形態において、携帯端末７０は、筆記情報処理装置の一例である。ここで、携帯端末７０としては、例えば携帯電話機を用いるとよい。また、デジタルペン６０と携帯端末７０との間の通信の方式としては、ＵＳＢ（Universal Serial Bus）、Ｂｌｕｅｔｏｏｔｈ（登録商標）、赤外線通信機能等、種々の方式が考えられる。
基地局８５は、携帯端末７０とネットワーク８０との中継点となる装置である。例えば、携帯端末７０が送信したデータを中継して識別情報サーバ３０等に送信する。
ネットワーク８０は、各種情報の交換に用いる通信手段である。このネットワーク８０としては、インターネットやＬＡＮ（Local Area Network）が例示される。
【００１３】
尚、本明細書では、媒体に記録する画像の元となる電子データを「電子文書」と表記するが、これは、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、媒体、更にはデジタルペン６０について、それぞれを一意に識別するための識別情報を用いて処理を行うが、単に「識別情報」というときは、このうち、媒体の識別情報を意味するものとする。
【００１４】
ところで、本実施の形態では、このようなコンピュータシステムにおいて、印刷文書の出力、印刷文書を用いたコンテンツの対応付け及び読み取りという二段階の動作を行う。そこで、以下ではこれらを分けて説明する。
【００１５】
［印刷文書の出力］
印刷文書を出力するときには、文書サーバ２０及び識別情報サーバ３０が中心となって動作するので、これらのサーバの構成について説明する。
まず、文書サーバ２０の構成について説明する。
図２は、文書サーバ２０の機能構成例を示したブロック図である。
図示するように、文書サーバ２０は、受信部２１と、識別情報取得部２２とを備える。また、識別符号生成部２５ａと、位置符号生成部２５ｂと、符号配置部２５ｃと、パターン画像記憶部２５ｄと、符号画像生成部２５ｅとを備える。更に、文書画像生成部２６と、画像合成部２７と、送信部２９とを備える。
【００１６】
受信部２１は、端末装置１０から印刷要求を受信する。ここで、印刷要求には、印刷対象となる電子文書の識別情報（以下、「文書ＩＤ」という）と、その電子文書の印刷対象のページ番号と、印刷に関する各種設定（以下、「印刷設定」という）とが含まれる。
識別情報取得部２２は、受信部２１から文書ＩＤ、ページ番号、印刷設定を取得し、これを送信部２９に渡して識別情報の発行要求の送信を指示し、これを文書画像生成部２６に渡して文書画像の生成を指示する。また、受信部２１から識別情報を取得し、これを識別符号生成部２５ａに渡して識別符号の生成を指示する。
【００１７】
識別符号生成部２５ａは、媒体を特定する識別情報を符号化して識別符号を生成する。
位置符号生成部２５ｂは、媒体上の座標位置を示す位置情報を符号化して位置符号を生成する。
符号配置部２５ｃは、識別符号生成部２５ａにて生成された識別符号や、位置符号生成部２５ｂにて生成された位置符号等を予め定めたレイアウトに従って２次元平面に配置し２次元の符号配列を生成する。
パターン画像記憶部２５ｄは、符号配列に格納される各符号の符号値に対応するパターン画像を記憶する。
符号画像生成部２５ｅは、符号配置部２５ｃが生成した２次元の符号配列を参照し、各符号値に対応したパターン画像を選択して符号画像を生成する。
【００１８】
文書画像生成部２６は、識別情報取得部２２から文書ＩＤ、ページ番号、印刷設定を取得し、この文書ＩＤ及びページ番号で特定される電子文書のページを図示しない記憶手段から読み出し、印刷設定に従ってその電子文書の文書画像を生成する。
画像合成部２７は、符号画像生成部２５ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。
【００１９】
次に、識別情報サーバ３０の構成について説明する。
図３は、識別情報サーバ３０の機能構成例を示したブロック図である。
図示するように、識別情報サーバ３０は、受信部３１と、媒体管理部３２と、媒体管理情報記憶部３３と、送信部３９とを備える。
【００２０】
受信部３１は、文書サーバ２０から識別情報の発行要求を受信する。
媒体管理部３２は、識別情報の発行要求があると、識別情報を重複することなく発行し、その際に指定された文書ＩＤ、ページ番号、印刷設定を、識別情報に関連付けて記憶する。更に、識別情報が指定されると、その識別情報に対応する文書ＩＤ、ページ番号、印刷設定を取り出す。
【００２１】
媒体管理情報記憶部３３は、識別情報と、その識別情報が付与された媒体に印刷された電子文書の文書ＩＤと、その識別情報が付与された媒体に印刷された電子文書のページのページ番号と、それが付与された媒体に電子文書が印刷された際の印刷設定とを記憶するデータベースである。
送信部３９は、文書サーバ２０からの要求に応じて発行した識別情報を文書サーバ２０に送信する。
【００２２】
次いで、印刷文書を出力するときの動作について説明する。
図４は、このときの文書サーバ２０及び識別情報サーバ３０の動作を示したシーケンス図である。
文書サーバ２０では、まず、受信部２１が、電子文書の印刷要求を端末装置１０から受信する（ステップ２１１）。この電子文書の印刷要求には、文書ＩＤ、ページ番号、印刷設定が含まれる。ここで、文書ＩＤとしては、例えば、ＵＲＬ（Uniform Resource Locator）を用いるとよいが、電子文書を一意に特定することができるものであれば他の情報を用いてもよい。また、ページ番号は、電子文書のページの順番を表す数字等である。このページ番号は印刷設定に含めることもあるが、本実施の形態では、媒体に印刷される文書画像の元となる電子データを特定するものとして、印刷設定とは分けて説明する。更に、印刷設定は、部数、用紙サイズ、拡大縮小率、複数ページを１枚の媒体にまとめて出力する機能、余白等の設定を含む。
受信部２１は、これらの情報を受信すると、識別情報取得部２２に受け渡す。すると、識別情報取得部２２は、受け渡された情報を送信部２９に渡し、送信部２９が、これらの情報を識別情報サーバ３０に送信することで、識別情報の発行を要求する（ステップ２１２）。
【００２３】
これにより、識別情報サーバ３０では、受信部３１が、文書ＩＤ、ページ番号、印刷設定を受信する（ステップ３１１）。そして、文書ＩＤ、ページ番号、印刷設定は媒体管理部３２に渡され、媒体管理部３２が、媒体管理情報記憶部３３から未使用の識別情報を取り出す（ステップ３１２）。ここで、取り出す識別情報の数は、印刷設定に応じて決められる。つまり、基本的には、印刷するページ数に印刷部数を乗じて得られる数の識別情報が取り出される。但し、設定情報中に、複数ページを１枚の媒体にまとめて出力する機能の指定等がある場合は、それも考慮される。例えば、１０ページの電子文書を２ページずつ１枚の媒体にまとめて５部印刷する場合は、２５（＝１０÷２×５）個の識別情報が取り出される。
次に、媒体管理部３２は、識別情報と文書ＩＤとページ番号と印刷設定とを関連付けて媒体管理情報記憶部３３に記憶する（ステップ３１３）。そして、ステップ３１２で発行された識別情報は送信部３９に渡され、送信部３９が、文書サーバ２０に対し、識別情報を送信する（ステップ３１４）。
【００２４】
これにより、文書サーバ２０では、受信部２１が識別情報を受信する（ステップ２１３）。そして、受信部２１は、受信した識別情報を識別情報取得部２２に受け渡す。
すると、文書サーバ２０は、識別情報と位置情報とを表す符号画像を生成する（ステップ２１４）。この符号画像の生成は、具体的には、次のような処理により行われる。
即ち、まず、識別情報取得部２２が、ステップ２１３で取得した識別情報を識別符号生成部２５ａに渡し、識別符号生成部２５ａが、識別情報を符号化することで識別符号を生成する。尚、識別情報の符号化の詳細については後述する。
また、位置符号生成部２５ｂは、受信部２１から印刷設定を受け取り、印刷設定に応じた範囲の位置情報を符号化することで位置符号を生成する。尚、位置情報の符号化の詳細についても後述する。
その後、符号配置部２５ｃが、識別符号と位置符号とを予め定めたレイアウトに従って配置し、これを符号画像生成部２５ｅが、パターン画像記憶部２５ｄに記憶されたパターン画像を用いて画像化することで符号画像を生成する。
【００２５】
また、文書サーバ２０では、文書画像生成部２６が、電子文書のページの文書画像を生成する（ステップ２１５）。その際、文書画像生成部２６は、ステップ２１１で識別情報取得部２２が取得した文書ＩＤ及びページ番号を受け取り、これに基づいて対象となる電子文書のページを図示しない記憶手段から読み出す。また、ステップ２１１で識別情報取得部２２が取得した印刷設定を受け取り、これに基づいて文書画像を生成する。
そして、画像合成部２７は、ステップ２１４で生成された符号画像と、ステップ２１５で生成された文書画像とを合成し、合成画像を生成する（ステップ２１６）。
その後、合成画像は送信部２９に渡され、送信部２９が、合成画像の印刷命令を画像形成装置４０に送信する（ステップ２１７）。ここで、合成画像の印刷命令は、例えば、文書画像の印刷命令の列からなるＰＤＬ（Page Description Language）ファイルに対し、符号画像として印刷する内容をＰＤＬコマンドとして設定したＰＤＬの形式で送信される。
【００２６】
これにより、画像形成装置４０は、文書画像を例えばＣ（シアン）、Ｍ（マゼンタ）、Ｙ（イエロー）のトナーを用いて媒体に印刷する。また、符号画像を例えばＫ（カーボンを含む黒）のトナー又は特殊トナーを用いて媒体に印刷する。
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００２７】
尚、ここでは、電子文書の画像に符号画像を合成して印刷することとしたが、白紙（ノートや付箋等）に符号画像を印刷する構成としてもよい。その場合は、ステップ２１１で受信する印刷要求に文書ＩＤ及びページ番号を含めないようにし、ステップ３１３で識別情報と文書ＩＤ、ページ番号、印刷設定との関連付けを行わないようにし、ステップ２１５における文書画像の生成は実行しないようにすればよい。
【００２８】
次に、本実施の形態で生成される符号画像について説明する。
図５は、符号画像を構成する画像等の一例を示した図である。
まず、符号画像を構成する単位パターンについて説明する。
図５（ａ）は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００２９】
ところで、図５（ａ）に示したドットは、あくまで情報表現のためのドットであり、画像を構成する最小の点を意味するドットとは必ずしも一致しない。本実施の形態において、情報表現のためのドット（図５（ａ）の最小の四角）は、６００ｄｐｉにおける２ドット×２ドットの大きさを有している。６００ｄｐｉにおける１ドットの大きさは０．０４２３ｍｍなので、情報表現のためのドット（図５（ａ）の最小の四角）の一辺は、８４．６μｍ（＝０．０４２３ｍｍ×２）である。情報表現のためのドットは、大きくなればなるほど目に付きやすくなるため、小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００３０】
次に、このような単位パターンから構成される符号ブロックについて説明する。
図５（ｂ）に、符号ブロックのレイアウトの一例を示す。尚、ここでは、画像ではなく、パターン画像によって置き換えられる直前の符号配列で示している。即ち、図５（ｂ）の最小の四角（以下、「単位ブロック」という）に、図５（ａ）のような単位パターン（３６通りの単位パターンのいずれか）が配置され、その画像が媒体に形成されることになる。
図５（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。
【００３１】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図５（ｂ）の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００３２】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列（Ｋ＝１３）を使用したとする。この場合、位置符号も５ビット単位で埋め込むため、系列長８１９１のＭ系列から５ビットずつ取り出してブロック化する。
【００３３】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００３４】
ここで、ステップ３１３で記憶される媒体管理情報の具体的な内容について説明する。
図６は、媒体管理情報の具体例を示した図である。
図示するように、媒体管理情報は、識別情報と、文書ＩＤと、ページ番号と、印刷設定とを対応付けたものとなっている。
このうち、識別情報は、既に述べた通り、媒体を一意に識別するための情報である。
また、文書ＩＤは、既に述べた通り、電子文書を一意に識別するための情報である。
更に、ページ番号は、既に述べた通り、電子文書のページを示す例えば数字である。
更にまた、印刷設定は、既に述べた通り、端末装置１０で電子文書の印刷が要求された際に設定された用紙サイズ、拡大縮小率等の情報である。
【００３５】
図には、文書ＩＤ「ＤｏｃＡ」の電子文書の１ページ目を、識別情報「０００００１」、「０００００２」、「０００００３」、「０００００４」、「０００００５」のＡ４サイズの媒体に拡縮率１００％で印刷したことが示されている。つまり、例えば、電子文書の１ページ目を印刷した紙の資料を５人の参加者に１枚ずつ配布して会議を行う場合に記憶される媒体管理情報を示したものである。
【００３６】
［印刷文書を用いたコンテンツの対応付け及び読み取り］
ところで、このようにして出力された印刷文書（電子文書が印刷されていなくてもよい）上で、例えば、ある領域にウェブページ等のコンテンツを対応付け、後でその領域をデジタルペン６０で指定することで、そのコンテンツに簡単にアクセスできるようにしたい場合がある。
そこで、本実施の形態では、ユーザがデジタルペン６０を用いて、印刷文書上の領域とコンテンツとを対応付けることができるようにした。
【００３７】
図７は、印刷文書上の領域にコンテンツを対応付けることにより、印刷文書に情報を埋め込む様子を示した図である。
（ａ）は、講義ノート４１に対して、携帯端末７０で調べた図、写真等の情報を埋め込み、後でデジタルペン６０を用いてその情報に簡単にアクセスできるようにする例である。ここでは、歴史の講義ノート４１の「聖武天皇あたりの天皇系図」と手書きした領域に、天皇の系図が書かれたウェブページを対応付けることにより、情報を埋め込んでいる。
（ｂ）は、打ち合わせ資料４２に対して、打ち合わせ中に携帯端末７０で調べた情報を埋め込み、後でデジタルペン６０を用いてその情報に簡単にアクセスできるようにする例である。ここでは、打ち合わせ資料４２の「８時台東京発新幹線」と手書きした領域に、新幹線ダイヤの検索結果のウェブページを対応付けることにより、情報を埋め込んでいる。
【００３８】
具体的には、まず、印刷文書上のデジタルペン６０による筆跡情報、又は、筆跡情報に基づく領域に対して、コンテンツを対応付ける。
次に、印刷文書上のデジタルペン６０によって指示された座標に基づいて、コンテンツが対応付けられた領域を特定し、その領域に対応付けられたコンテンツを取得して表示する。
【００３９】
ここで、本実施の形態では、このようなコンテンツの対応付け及び読み取りの手法として、次の３つの手法を採用する。
第１の手法は、コンテンツを対応付けるためのモードのＯＮ／ＯＦＦをボタンで制御することでコンテンツを対応付け、コンテンツを読み取るためのモードのＯＮ／ＯＦＦをボタンで制御することでコンテンツを読み取る手法である。
第２の手法は、デジタルペン６０が、特殊ストロークを検知することでコンテンツを対応付け、ペン先でのダブルクリックを検知することでコンテンツを読み取る手法である。ここで、特殊ストロークは、予め定めた形状の筆記単位の一例であり、例えば、図７（ｂ）に示すように、コンテンツを対応付けたい手書きの下側に、特殊ストロークとして、波線を引くような場合である。
第３の手法は、携帯端末７０が特殊ストロークを検知することでコンテンツを対応付け、デジタルペン６０がペン先でのダブルクリックを検知することでコンテンツを読み取る手法である。つまり、特殊ストロークの検知を、デジタルペン６０側ではなく、携帯端末７０側で行う点が、第２の手法と異なる。この手法において、デジタルペン６０は、全ての筆跡情報をリアルタイムで携帯端末７０に送信する。
【００４０】
以下、第１、第２、第３の手法を、それぞれ、第１、第２、第３の実施例として詳細に説明する。尚、以下の説明で、印刷文書上の座標は、印刷文書の左上点を原点とし、右方向をＸ軸の正方向とし、下方向をＹ軸の正方向とした座標系で表すものとする。
【００４１】
［第１の実施例］
第１の実施例において、印刷文書へのコンテンツの対応付けとコンテンツの読み取りには、デジタルペン６０及び携帯端末７０が中心となって動作するので、これらの構成について説明する。
【００４２】
まず、デジタルペン６０の構成について説明する。
図８は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報及び位置情報を記憶するための情報メモリ６５と、外部装置と通信するための通信回路６６と、ペンを駆動するためのバッテリ６７と、ペンの識別情報（ペンＩＤ）を記憶するペンＩＤメモリ６８も接続されている。
【００４３】
更に、デジタルペン６０は、対応付けボタン６９ａと、読み取りボタン６９ｂとを備えている。このうち、対応付けボタン６９ａは、印刷文書上の領域にコンテンツ（例えば、コンテンツのＵＲＬ）を対応付けるモード（以下、「対応付けモード」という）に切り替えるためのボタンである。また、読み取りボタン６９ｂは、印刷文書上の指示された座標に基づいてコンテンツを読み取るモード（以下、「読み取りモード」という）に切り替えるためのボタンである。尚、対応付けボタン６９ａと読み取りボタン６９ｂの押下が制御回路６１にて検知されるよう、これらのボタンからの信号を伝える信号線が制御回路６１に接続されている。
【００４４】
次に、このうち制御回路６１において実現される機能構成について更に詳細に説明する。
図９は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６と、筆跡情報記憶部６１６ａとを備える。そして、更に、ボタン押下検知部６１７ａと、モード情報記憶部６１７ｂと、通信制御部６１９とを備える。
【００４５】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００４６】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図５（ａ）の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００４７】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。
【００４８】
筆跡情報生成部６１６は、位置情報取得部６１５が取得した位置情報を連結して筆跡情報を生成する。ここで、筆跡情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報等がある。
筆跡情報記憶部６１６ａは、筆跡情報生成部６１６が生成した筆跡情報を蓄積する。
【００４９】
ボタン押下検知部６１７ａは、対応付けボタン６９ａからの信号に基づいて対応付けボタン６９ａの押下を検知し、読み取りボタン６９ｂからの信号に基づいて読み取りボタン６９ｂの押下を検知する。尚、ここで、ボタンの押下は、ボタンに対応するモードを設定するための押下（モードをＯＮにする押下）と、ボタンに対応するモードの設定を解除するための押下（モードをＯＦＦにする押下）とを含むものとする。
モード情報記憶部６１７ｂは、ボタン押下検知部６１７ａによる検知の結果を、対応付けモードのＯＮ／ＯＦＦ、及び、読み取りモードのＯＮ／ＯＦＦを含むモード情報として記憶する。
通信制御部６１９は、識別情報取得部６１４が取得した識別情報と、筆跡情報生成部６１６が生成した筆跡情報とを通信回路６６に受け渡すことで、携帯端末７０に識別情報及び筆跡情報を送信する。また、ボタン押下検知部６１７ａによる検知結果であるモード情報を通信回路６６に受け渡すことで、携帯端末７０にモード情報を送信する。本実施の形態では、筆記情報を送信する送信手段の一例として、通信制御部６１９を設けている。
【００５０】
次いで、携帯端末７０の構成について説明する。
図１０は、携帯端末７０の機能構成例を示したブロック図である。
図示するように、携帯端末７０は、通信制御部７１と、ブラウザ管理部７２と、筆跡管理部７３と、筆跡管理情報記憶部７４と、領域特定部７５と、対応情報管理部７６と、対応情報記憶部７７とを備える。また、本実施の形態では、モード情報記憶部７８も備える。
【００５１】
通信制御部７１は、デジタルペン６０から識別情報及び筆跡情報を受信する。また、コンテンツの対応付けや読み取りに関する情報も受信する。本実施の形態では、筆記情報を受信する受信手段の一例として、通信制御部７１を設けている。
ブラウザ管理部７２は、携帯端末７０で動作するブラウザを管理する。具体的には、コンテンツの対応付けが指示された際には、その時点でブラウザに表示されているコンテンツのＵＲＬを記録し、コンテンツの読み取りが指示された際には、取得されたＵＲＬのコンテンツをブラウザに表示する。本実施の形態では、筆記に関連付ける情報を特定する情報特定手段の一例として、ブラウザ管理部７２を設けている。
【００５２】
筆跡管理部７３は、通信制御部７１が受信した識別情報及び筆跡情報を取得し、筆跡管理情報記憶部７４に登録する。このとき、筆跡情報は、ストロークを単位としたストローク情報として登録される。ここで、ストロークとは、ペン先を媒体に接触させた状態でなされた筆記単位のことである。本実施の形態では、筆記情報を取得する取得手段の一例として、筆跡管理部７３を設けている。
筆跡管理情報記憶部７４は、筆跡管理部７３によって管理される筆跡管理情報を記憶する。
【００５３】
領域特定部７５は、筆跡管理情報記憶部７４に記憶された筆跡管理情報に基づいて、印刷文書上のコンテンツを対応付ける領域を特定する。本実施の形態では、媒体上の領域を特定する領域特定手段の一例として、領域特定部７５を設けている。
対応情報管理部７６は、ブラウザ管理部７２が記録したＵＲＬと、領域特定部７５が特定した印刷文書上の領域との対応情報を管理する。具体的には、コンテンツの対応付けが指示された際には、ＵＲＬと領域との対応情報を生成し、コンテンツの読み取りが指示された際には、指示された座標を含む領域に対応付けられたＵＲＬを取得する。
対応情報記憶部７７は、対応情報管理部７６によって管理される対応情報を記憶する。本実施の形態では、対応情報を記憶する記憶手段の一例として、対応情報記憶部７７を設けている。
モード情報記憶部７８は、通信制御部７１が受信したモード情報を記憶する。
【００５４】
次に、この第１の実施例におけるデジタルペン６０の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。
次いで、デジタルペン６０では、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆跡情報生成部６１６が、位置情報を連結して筆跡情報を生成する。
【００５５】
図１１は、その後のデジタルペン６０の動作例を示したフローチャートである。尚、このフローチャートに示した動作は、予め定めたタイミングで繰り返し実行されるものとする。
デジタルペン６０では、まず、ボタン押下検知部６１７ａが、対応付けボタン６９ａの押下を検知したかどうかを判定する（ステップ６２１）。ここで、対応付けボタン６９ａの押下を検知していなければ、処理はステップ６２７へ進むが、対応付けボタン６９ａの押下を検知していれば、対応付けモードをＯＮにするための押下であるかどうかを判定する（ステップ６２２）。その結果、対応付けモードをＯＮにするための押下であると判定されれば、ボタン押下検知部６１７ａは、対応付けモードがＯＮである旨をモード情報としてモード情報記憶部６１７ｂに記憶する（ステップ６２３）。そして、対応付けモードがＯＮである旨は通信制御部６１９にも渡され、通信制御部６１９が、対応付けモードがＯＮである旨を携帯端末７０に送信する（ステップ６２４）。一方、対応付けモードをＯＦＦにするための押下であると判定されれば、ボタン押下検知部６１７ａは、対応付けモードがＯＦＦである旨をモード情報としてモード情報記憶部６１７ｂに記憶する（ステップ６２５）。そして、対応付けモードがＯＦＦである旨は通信制御部６１９にも渡され、通信制御部６１９が、対応付けモードがＯＦＦである旨を携帯端末７０に送信する（ステップ６２６）。
【００５６】
ボタン押下検知部６１７ａは、また、読み取りボタン６９ｂの押下を検知したかどうかを判定する（ステップ６２７）。ここで、読み取りボタン６９ｂの押下を検知していなければ、処理はステップ６３３へ進むが、読み取りボタン６９ｂの押下を検知していれば、読み取りモードをＯＮにするための押下であるかどうかを判定する（ステップ６２８）。その結果、読み取りモードをＯＮにするための押下であると判定されれば、ボタン押下検知部６１７ａは、読み取りモードがＯＮである旨をモード情報としてモード情報記憶部６１７ｂに記憶する（ステップ６２９）。そして、読み取りモードがＯＮである旨は通信制御部６１９にも渡され、通信制御部６１９が、読み取りモードがＯＮである旨を携帯端末７０に送信する（ステップ６３０）。一方、読み取りモードをＯＦＦにするための押下であると判定されれば、ボタン押下検知部６１７ａは、読み取りモードがＯＦＦである旨をモード情報としてモード情報記憶部６１７ｂに記憶する（ステップ６３１）。そして、読み取りモードがＯＦＦである旨は通信制御部６１９にも渡され、通信制御部６１９が、読み取りモードがＯＦＦである旨を携帯端末７０に送信する（ステップ６３２）。
【００５７】
デジタルペン６０では、更に、筆跡情報生成部６１６が、筆跡情報が生成されているかどうかを判定する（ステップ６３３）。ここで、筆跡情報が生成されていなければ、処理は終了するが、筆跡情報が生成されていれば、筆跡情報を筆跡情報記憶部６１６ａに記憶し（ステップ６３４）、モード情報記憶部６１７ｂに記憶されたモード情報を参照して、対応付けモード又は読み取りモードがＯＮであるかどうかを判定する（ステップ６３５）。その結果、対応付けモード又は読み取りモードがＯＮであると判定されれば、筆跡情報は通信制御部６１９に渡され、通信制御部６１９が、識別情報及び筆跡情報を携帯端末７０に送信する（ステップ６３６）。一方、対応付けモードも読み取りモードもＯＦＦであると判定されれば、そのまま処理を終了する。
【００５８】
次いで、この第１の実施例における携帯端末７０の動作について説明する。
図１２は、このときの携帯端末７０の動作例を示したフローチャートである。尚、このフローチャートに示した動作は、予め定めたタイミングで繰り返し実行されるものとする。
携帯端末７０では、まず、通信制御部７１が、対応付けモードのＯＮ／ＯＦＦを含むモード情報を受信したかどうかを判定する（ステップ７２１）。ここで、対応付けモードに関するモード情報を受信していないと判定されれば、処理はステップ７２８へ進むが、対応付けモードに関するモード情報を受信したと判定されれば、そのモード情報が、対応付けモードがＯＮであることを示しているかどうかを判定する（ステップ７２２）。その結果、対応付けモードがＯＮであることを示していると判定されれば、通信制御部７１は、対応付けモードがＯＮである旨をモード情報としてモード情報記憶部７８に記憶する（ステップ７２３）。そして、ブラウザ管理部７２が、携帯端末７０の画面に表示されたコンテンツのＵＲＬを記録する（ステップ７２４）。一方、対応付けモードがＯＦＦであることを示していると判定されれば、通信制御部７１は、対応付けモードがＯＦＦである旨をモード情報としてモード情報記憶部７８に記憶する（ステップ７２５）。そして、領域特定部７５が、後述するステップ７３４で筆跡管理情報記憶部７４に一時保存された筆跡情報を含む矩形領域を算出する（ステップ７２６）。例えば、筆跡管理情報記憶部７４に一時保存された筆跡情報を構成する点のＸ座標のうち、最も小さなＸ座標がＸｍｉｎであり、最も大きなＸ座標がＸｍａｘであり、これらの点のＹ座標のうち、最も小さなＹ座標がＹｍｉｎであり、最も大きなＹ座標がＹｍａｘである場合を考える。この場合は、Ｘ＝Ｘｍｉｎ、Ｘ＝Ｘｍａｘ、Ｙ＝Ｙｍｉｎ、Ｙ＝Ｙｍａｘの各直線で囲まれた矩形領域を、筆跡情報を含む矩形領域とすればよい。その後、対応情報管理部７６は、ステップ７２４でブラウザ管理部７２が記録したＵＲＬと、ステップ７２６で領域特定部７５が算出した矩形領域と、後述するステップ７３４で記憶された識別情報とを対応付けた対応情報を生成して、対応情報管理部７６に記憶する（ステップ７２７）。
【００５９】
通信制御部７１は、また、読み取りモードのＯＮ／ＯＦＦを含むモード情報を受信したかどうかを判定する（ステップ７２８）。ここで、読み取りモードに関するモード情報を受信していないと判定されれば、処理はステップ７３２へ進むが、読み取りモードに関するモード情報を受信したと判定されれば、そのモード情報が、読み取りモードがＯＮであることを示しているかどうかを判定する（ステップ７２９）。その結果、読み取りモードがＯＮであることを示していると判定されれば、通信制御部７１は、読み取りモードがＯＮである旨をモード情報としてモード情報記憶部７８に記憶する（ステップ７３０）。一方、読み取りモードがＯＦＦであることを示していると判定されれば、通信制御部７１は、読み取りモードがＯＦＦである旨をモード情報としてモード情報記憶部７８に記憶する（ステップ７３１）。
【００６０】
通信制御部７１は、更に、筆跡情報を受信したかどうかを判定する（ステップ７３２）。ここで、筆跡情報を受信していないと判定されれば、処理は終了するが、筆跡情報を受信したと判定されれば、モード情報記憶部７８にモード情報として如何なる情報が記憶されているかを判定する（ステップ７３３）。その結果、対応付けモードがＯＮであることを示す情報が記憶されていると判定されれば、識別情報及び筆跡情報は筆跡管理部７３に渡され、筆跡管理部７３が筆跡情報を構成する各ストローク情報を一意に識別するストロークＩＤを生成し、ストロークＩＤと、識別情報と、ストローク情報とを対応付けて、筆跡管理情報として筆跡管理情報記憶部７４に記憶する（ステップ７３４）。一方、読み取りモードがＯＮであることを示す情報が記憶されていると判定されれば、識別情報及び筆跡情報は対応情報管理部７６に渡され、対応情報管理部７６がこれらの情報に対応付けて記憶されたＵＲＬを取得する（ステップ７３５）。そして、ＵＲＬはブラウザ管理部７２に渡され、ブラウザ管理部７２が、ＵＲＬをブラウザに渡してそのＵＲＬからコンテンツを読み出して表示させる（ステップ７３６）。尚、対応付けモードも読み取りモードもＯＦＦである場合、筆跡情報は送られて来ないので、ステップ７３３で、対応付けモードがＯＮであることを示す情報も読み取りモードがＯＮであることを示す情報も記憶されていないというケースは生じない。
【００６１】
即ち、第１の実施例では、コンテンツを対応付ける場合、ユーザは、まず、対応付けボタン６９ａを押下して対応付けモードをＯＮにする。これにより、デジタルペン６０は、ステップ６２４で、対応付けモードがＯＮになった旨を携帯端末７０に通知し、携帯端末７０は、ステップ７２４で、画面に表示されたコンテンツのＵＲＬを記録する。
次に、ユーザは、コンテンツを対応付けたい領域を指定するために、デジタルペン６０で筆記を行う。これにより、デジタルペン６０は、ステップ６３６で、筆跡情報を携帯端末７０に送信し、携帯端末７０は、ステップ７３４で、筆跡情報を一時的に保存する。
そして、最後に、ユーザは、対応付けボタン６９ａを押下して対応付けモードをＯＦＦにする。これにより、デジタルペン６０は、ステップ６２６で、対応付けモードがＯＦＦになった旨を携帯端末７０に通知し、携帯端末７０は、ステップ７２６で、一時保存していた筆跡情報から矩形領域を求め、ステップ７２７で、矩形領域とＵＲＬとの対応情報を記憶する。
【００６２】
また、コンテンツを読み取る場合、ユーザは、まず、読み取りボタン６９ｂを押下して読み取りモードをＯＮにする。これにより、デジタルペン６０は、ステップ６３０で、読み取りモードがＯＮになった旨を携帯端末７０に通知する。
次に、ユーザは、読み取りたいコンテンツが対応付けられた領域を指定するために、デジタルペン６０で筆記を行う。これにより、デジタルペン６０は、ステップ６３６で、筆跡情報を携帯端末７０に送信し、携帯端末７０は、ステップ７３５で、筆跡情報に基づいてＵＲＬを取得し、ステップ７３６で、取得したＵＲＬのコンテンツを画面に表示する。
そして、最後に、ユーザは、読み取りボタン６９ｂを押下して読み取りモードをＯＦＦにする。これにより、デジタルペン６０は、ステップ６３２で、読み取りモードがＯＦＦになった旨を携帯端末７０に通知する。
【００６３】
尚、この動作例において、対応付けモードも読み取りモードもＯＦＦの状態における筆跡情報、つまり、コンテンツを対応付けたり読み取ったりするためのものではない通常の筆跡情報は、携帯端末７０に送信せずに、デジタルペン６０内の筆跡情報記憶部６１６ａに記憶するようにした。これは、後で筆跡情報を電子文書に反映させるため、携帯端末７０以外の端末装置等を介して筆跡情報を識別情報サーバ３０等に送信することを想定したためである。しかしながら、このような通常の筆跡情報もデジタルペン６０が携帯端末７０に送信し、携帯端末７０が、この通常の筆跡情報を電子文書に反映させるようにしてもよい。この場合、更に、筆記に対するコンテンツの対応付けを電子文書に反映させ、電子文書からこのコンテンツを利用できるようにしてもよい。
【００６４】
図１３は、図１２のステップ７３４で一時的に保存される筆跡管理情報の具体例を示した図である。
図示するように、筆跡管理情報は、ストロークＩＤと、識別情報と、ストローク情報とを対応付けたものとなっている。
ストロークＩＤは、既に述べた通り、ストローク情報を一意に識別するための情報である。
識別情報は、既に述べた通り、媒体を一意に識別するための情報である。
ストローク情報は、既に述べた通り、媒体に対する筆記内容を電子化した情報であり、１つのストロークに対応する情報である。尚、ここでは、ストロークをイメージデータとしてではなく、媒体上のペン先が位置した座標の集合として記憶しているが、ストローク情報をイメージデータとして記憶し、その開始点の座標のみを記憶するものでもよい。
【００６５】
（ａ）は、図７（ａ）の講義ノート４１における「聖武天皇あたりの天皇系図」という筆跡情報を携帯端末７０に送信した場合に一時保存される筆跡管理情報を想定している。この筆跡管理情報では、例えば、ストロークＩＤ「Ｓ１１」のストローク情報が、識別情報「０００００１」の媒体に対するストローク情報であって、媒体上の点の集合｛（Ａ１１，Ｂ１１），（Ａ１２，Ｂ１２），（Ａ１３，Ｂ１３），・・・｝として表されることが示されている。
（ｂ）は、図７（ｂ）の打ち合わせ資料４２における「８時台東京発新幹線」という筆跡情報を携帯端末７０に送信した場合に一時保存される筆跡管理情報を想定している。この筆跡管理情報では、例えば、ストロークＩＤ「Ｓ２１」のストローク情報が、識別情報「０００００２」の媒体に対するストローク情報であって、媒体上の点の集合｛（Ｃ１１，Ｄ１１），（Ｃ１２，Ｄ１２），（Ｃ１３，Ｄ１３），・・・｝として表されることが示されている。
【００６６】
また、図１４は、図１２のステップ７２７で記憶される対応情報の具体例を示した図である。
図示するように、対応情報は、識別情報と、領域情報と、ＵＲＬとを対応付けたものとなっている。
識別情報は、既に述べた通り、媒体を一意に識別するための情報である。
領域情報は、媒体上の領域を特定するための情報である。図では、領域情報を、左上点の座標、ハイフン、右下点の座標という形式で表している。
ＵＲＬは、対応する識別情報の媒体上の対応する領域情報で特定される領域に対応付けられたコンテンツのＵＲＬである。
【００６７】
図において、１行目は、図１３（ａ）の筆跡管理情報から生成された対応情報の例である。この対応情報では、領域情報として、Ｘ＝Ａｍｉｎ、Ｘ＝Ａｍａｘ、Ｙ＝Ｂｍｉｎ、Ｙ＝Ｂｍａｘの各直線で囲まれた領域の情報を示している。つまり、図１３（ａ）におけるＡｉｊ（ｉ＝１，２，…，ｎ；ｊ＝１，２，…,ｋ）の最小値、最大値がそれぞれＡｍｉｎ、Ａｍａｘであり、Ｂｉｊ（ｉ＝１，２，…，ｎ；ｊ＝１，２，…,ｋ）の最小値、最大値がそれぞれＢｍｉｎ、Ｂｍａｘである場合の領域情報を示している。また、天皇の系図が書かれたウェブページのＵＲＬを「http://www.tennnoukeizu.co.jp/shoumu.html」としている。
また、２行目は、図１３（ｂ）の筆跡管理情報から生成された対応情報の例である。この対応情報では、領域情報として、Ｘ＝Ｃｍｉｎ、Ｘ＝Ｃｍａｘ、Ｙ＝Ｄｍｉｎ、Ｙ＝Ｄｍａｘの各直線で囲まれた領域の情報を示している。つまり、図１３（ｂ）におけるＣｉｊ（ｉ＝１，２，…，ｎ；ｊ＝１，２，…,ｋ）の最小値、最大値がそれぞれＣｍｉｎ、Ｃｍａｘであり、Ｄｉｊ（ｉ＝１，２，…，ｎ；ｊ＝１，２，…,ｋ）の最小値、最大値がそれぞれＤｍｉｎ、Ｄｍａｘである場合の領域情報を示している。また、新幹線ダイヤの検索結果のウェブページのＵＲＬを「http://www.jikokuhyou.co.jp/tokyo/08/shinkansen.html」としている。
【００６８】
［第２の実施例］
第２の実施例においても、印刷文書へのコンテンツの対応付けとコンテンツの読み取りには、デジタルペン６０及び携帯端末７０が中心となって動作するので、これらの構成について説明する。
【００６９】
まず、デジタルペン６０の構成について説明する。
図１５は、デジタルペン６０の構成例を示した図である。
第１の実施例におけるデジタルペン６０（図８参照）では、対応付けボタン６９ａ及び読み取りボタン６９ｂを備えていたが、第２の実施例におけるデジタルペン６０では、これらのボタンを備えていない点のみが異なる。その他の構成については、第１の実施例で既に説明したので、ここでの詳しい説明は省略する。
【００７０】
次に、図１５に示したデジタルペン６０における制御回路６１で実現される機能構成について説明する。
図１６は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６と、筆跡情報記憶部６１６ａとを備える。そして、更に、波線検知部６１８ａと、ダブルクリック検知部６１８ｂと、通信制御部６１９とを備える。
【００７１】
このうち、画像取得部６１１、ドット配列生成部６１２、符号配列生成部６１３、識別情報取得部６１４、位置情報取得部６１５、筆跡情報生成部６１６、筆跡情報記憶部６１６ａについては、第１の実施例で説明したものと略同様なので、説明を省略する。
波線検知部６１８ａは、筆跡情報生成部６１６が生成した筆跡情報から波線形状のストローク（以下、「波線ストローク」という）を検知する。尚、波線ストロークであるかどうかは、１つのストロークが予め定めた波線の形状とある程度以上類似しているかどうかによって判断すればよい。本実施の形態では、筆記情報生成装置における筆記単位を検出する検出手段の一例として、波線検知部６１８ａを設けている。
ダブルクリック検知部６１８ｂは、ペンチップ６９に加わる圧力を検出する圧力センサ６２からの信号に基づいて、ペンチップ６９を短時間に２回媒体に接触させる操作（以下、「ダブルクリック操作」という）を検知する。
通信制御部６１９は、識別情報取得部６１４が取得した識別情報と、筆跡情報生成部６１６が生成した筆跡情報とを通信回路６６に受け渡すことで、携帯端末７０に識別情報及び筆跡情報を送信する。その際、波線検知部６１８ａが波線ストロークを検知していれば、対応付け指示と共に識別情報及び筆跡情報を送信し、ダブルクリック検知部６１８ｂがダブルクリック操作を検知していれば、読み取り指示と共に識別情報及び筆跡情報を送信する。
【００７２】
次いで、携帯端末７０の構成について説明する。
図１７は、携帯端末７０の機能構成例を示したブロック図である。
第１の実施例における携帯端末７０（図１０参照）では、モード情報記憶部７８を備えていたが、第２の実施例における携帯端末７０では、このモード情報記憶部７８を備えていない点のみが異なる。その他の構成については、第１の実施例で既に説明したので、ここでの詳しい説明は省略する。
【００７３】
次に、この第２の実施例におけるデジタルペン６０の動作について説明する。尚、識別情報取得部６１４が識別情報を取得し、位置情報取得部６１５が位置情報を取得し、筆跡情報生成部６１６が筆跡情報を生成するまでは、第１の実施例と同様であるので、説明を省略する。
【００７４】
図１８は、その後のデジタルペン６０の動作例を示したフローチャートである。尚、このフローチャートに示した動作は、予め定めたタイミングで繰り返し実行されるものとする。
デジタルペン６０では、まず、筆跡情報生成部６１６が、筆跡情報が生成されているかどうかを判定する（ステップ６４１）。ここで、筆跡情報が生成されていなければ、処理はステップ６４６へ進むが、筆跡情報が生成されていれば、筆跡情報が波線ストロークであるかどうかを判定する（ステップ６４２）。その結果、筆跡情報が波線ストロークであると判定されれば、筆跡情報生成部６１６は、筆跡情報記憶部６１６ａに記憶された筆跡情報を取り出して通信制御部６１９に渡し（ステップ６４３）、通信制御部６１９が、対応付け指示と識別情報と筆跡情報（波線ストロークを含む）とを携帯端末７０に送信する（ステップ６４４）。一方、筆跡情報が波線ストロークでないと判定されれば、筆跡情報生成部６１６は、筆跡情報を筆跡情報記憶部６１６ａに記憶する（ステップ６４５）。
【００７５】
デジタルペン６０では、また、ダブルクリック検知部６１８ｂが、ダブルクリック操作を検知したかどうかを判定する（ステップ６４６）。ここで、ダブルクリック操作を検知していなければ、処理は終了するが、ダブルクリック操作を検知していれば、筆跡情報は通信制御部６１９に渡され、通信制御部６１９が、読み取り指示と識別情報と筆跡情報とを携帯端末７０に送信する（ステップ６４７）。
【００７６】
次いで、この第２の実施例における携帯端末７０の動作について説明する。
図１９は、このときの携帯端末７０の動作例を示したフローチャートである。尚、このフローチャートに示した動作は、予め定めたタイミングで繰り返し実行されるものとする。
携帯端末７０では、まず、通信制御部７１が、対応付け指示を受信したかどうかを判定する（ステップ７４１）。ここで、対応付け指示を受信していないと判定されれば、処理はステップ７４６へ進むが、対応付け指示を受信したと判定されれば、ブラウザ管理部７２が、携帯端末７０の画面に表示されたコンテンツのＵＲＬを記録する（ステップ７４２）。そして、通信制御部７１が、対応付け指示と共に受信した識別情報及び筆跡情報を筆跡管理部７３に渡し、筆跡管理部７３が筆跡情報を構成する各ストローク情報を一意に識別するストロークＩＤを生成し、ストロークＩＤと、識別情報と、ストローク情報とを対応付けて、筆跡管理情報として筆跡管理情報記憶部７４に記憶する（ステップ７４３）。また、領域特定部７５が、筆跡管理情報記憶部７４に記憶された筆跡情報から波線ストロークを取り出し、この波線ストロークに基づいて矩形領域を算出する（ステップ７４４）。例えば、図７（ｂ）に示したような場所に波線ストロークを描き、波線ストロークの左端点のＸ座標がＸｍｉｎであり、右端点のＸ座標がＸｍａｘであり、波線ストロークの中央部分のＹ座標がＹｍａｘであり、波線ストロークよりも上の領域で手書きの密度が急激に低下する部分のＹ座標がＹｍｉｎである場合を考える。この場合は、Ｘ＝Ｘｍｉｎ、Ｘ＝Ｘｍａｘ、Ｙ＝Ｙｍｉｎ、Ｙ＝Ｙｍａｘの各直線で囲まれた矩形領域を、筆跡情報を含む矩形領域とすればよい。その後、対応情報管理部７６は、ステップ７４２でブラウザ管理部７２が記録したＵＲＬと、ステップ７４４で領域特定部７５が算出した矩形領域と、ステップ７４３で記憶された識別情報とを対応付けた対応情報を生成して、対応情報記憶部７７に記憶する（ステップ７４５）。
【００７７】
通信制御部７１は、また、読み取り指示を受信したかどうかを判定する（ステップ７４６）。ここで、読み取り指示を受信していないと判定されれば、処理は終了するが、読み取り指示を受信したと判定されれば、通信制御部７１は、対応付け指示と共に受信した識別情報及び筆跡情報を筆跡管理部７３に渡し、筆跡管理部７３が筆跡情報を構成する各ストローク情報を一意に識別するストロークＩＤを生成し、ストロークＩＤと、識別情報と、ストローク情報とを対応付けて、筆跡管理情報として筆跡管理情報記憶部７４に記憶する（ステップ７４７）。そして、筆跡管理情報記憶部７４に記憶された筆跡管理情報における識別情報及び筆跡情報は対応情報管理部７６に渡され、対応情報管理部７６が、対応情報記憶部７７を参照し、渡された識別情報に対応し、かつ、渡された筆跡情報を含む領域情報に対応するＵＲＬを取得する（ステップ７４８）。その後、ブラウザ管理部７２は、この取得したＵＲＬをブラウザに伝えて、このＵＲＬのコンテンツを表示させる（ステップ７４９）。
【００７８】
即ち、第２の実施例では、コンテンツを対応付ける場合、ユーザは、まず、デジタルペン６０で筆記を行い、コンテンツを対応付けたい領域を指定するために波線を描く。これにより、デジタルペン６０は、ステップ６４４で、波線を含む筆跡情報を携帯端末７０に送信し、携帯端末７０は、ステップ７４４で、波線に基づいて矩形領域を求め、ステップ７４５で、矩形領域とＵＲＬとの対応情報を記憶する。
また、コンテンツを読み取る場合、ユーザは、まず、デジタルペン６０でダブルクリック操作を行う。これにより、デジタルペン６０は、ステップ６４７で、ダブルクリック操作が行われた座標の情報を携帯端末７０に送信し、携帯端末７０は、ステップ７４８で、この座標の情報に基づいてＵＲＬを取得し、ステップ７４９で、取得したＵＲＬのコンテンツを画面に表示する。
【００７９】
尚、図１８のステップ７４３で記憶される筆跡管理情報は図１３に示したものと同様であり、図１９のステップ７４５で記憶される対応情報は図１４に示したものと同様であるので、ここでの詳しい説明は省略する。
【００８０】
［第３の実施例］
第３の実施例においても、印刷文書へのコンテンツの対応付けとコンテンツの読み取りには、デジタルペン６０及び携帯端末７０が中心となって動作するので、これらの構成について説明する。
【００８１】
まず、デジタルペン６０の構成について説明する。尚、この第３の実施例におけるデジタルペン６０の機構は、第２の実施例におけるデジタルペン６０の機構と同様なので、説明を省略し、第３の実施例のデジタルペン６０における制御回路６１で実現される機能構成についてのみ説明する。
図２０は、制御回路６１の機能構成例を示したブロック図である。
第２の実施例における制御回路６１（図１６参照）では、筆跡情報記憶部６１６ａ及び波線検知部６１８ａを備えていたが、第３の実施例におけるデジタルペン６０では、これらの構成を備えていない点のみが異なる。その他の構成については、第２の実施例で既に説明したので、ここでの詳しい説明は省略する。
【００８２】
次いで、携帯端末７０の構成について説明する。
図２１は、携帯端末７０の機能構成例を示したブロック図である。
図示するように、携帯端末７０は、通信制御部７１と、ブラウザ管理部７２と、筆跡管理部７３と、筆跡管理情報記憶部７４と、領域特定部７５と、対応情報管理部７６と、対応情報記憶部７７とを備える。また、本実施の形態では、波線検知部７９も備える。
【００８３】
このうち、通信制御部７１、ブラウザ管理部７２、筆跡管理部７３、筆跡管理情報記憶部７４、領域特定部７５、対応情報管理部７６、対応情報記憶部７７については、第２の実施例で説明したものと略同様なので、説明を省略する。
波線検知部７９は、通信制御部７１が受信した筆跡情報から波線ストロークを検知する。尚、波線ストロークであるかどうかは、１つのストロークが予め定めた波線の形状とある程度以上類似しているかどうかによって判断すればよい。本実施の形態では、筆記情報処理装置における筆記単位を検出する検出手段の一例として、波線検知部７９を設けている。
【００８４】
次に、この第３の実施例におけるデジタルペン６０の動作について説明する。尚、識別情報取得部６１４が識別情報を取得し、位置情報取得部６１５が位置情報を取得し、筆跡情報生成部６１６が筆跡情報を生成するまでは、第１の実施例と同様であるので、説明を省略する。
【００８５】
図２２は、その後のデジタルペン６０の動作例を示したフローチャートである。尚、このフローチャートに示した動作は、予め定めたタイミングで繰り返し実行されるものとする。
デジタルペン６０では、まず、筆跡情報生成部６１６が、筆跡情報が生成されているかどうかを判定する（ステップ６６１）。ここで、筆跡情報が生成されていなければ、処理はステップ６６３へ進むが、筆跡情報が生成されていれば、筆跡情報は通信制御部６１９に渡され、通信制御部６１９が、識別情報と筆跡情報とを携帯端末７０に送信する（ステップ６６２）。
【００８６】
デジタルペン６０では、また、ダブルクリック検知部６１８ｂが、ダブルクリック操作を検知したかどうかを判定する（ステップ６６３）。ここで、ダブルクリック操作を検知していなければ、処理は終了するが、ダブルクリック操作を検知していれば、筆跡情報は通信制御部６１９に渡され、通信制御部６１９が、読み取り指示と識別情報と筆跡情報とを携帯端末７０に送信する（ステップ６６４）。
【００８７】
次いで、この第３の実施例における携帯端末７０の動作について説明する。
図２３は、このときの携帯端末７０の動作例を示したフローチャートである。尚、このフローチャートに示した動作は、予め定めたタイミングで繰り返し実行されるものとする。
携帯端末７０では、まず、通信制御部７１が、筆跡情報を受信したかどうかを判定する（ステップ７６１）。ここで、筆跡情報を受信していないと判定されれば、処理はステップ７６７へ進むが、筆跡情報を受信したと判定されれば、筆跡情報は波線検知部７９に渡され、波線検知部７９が、筆跡情報が波線ストロークであるかどうかを判定する（ステップ７６２）。その結果、筆跡情報が波線ストロークであると判定されれば、ブラウザ管理部７２が、携帯端末７０の画面に表示されたコンテンツのＵＲＬを記録する（ステップ７６３）。そして、領域特定部７５が、この波線ストロークに基づいて矩形領域を算出する（ステップ７６４）。例えば、図７（ｂ）に示したような場所に波線ストロークを描き、波線ストロークの左端点のＸ座標がＸｍｉｎであり、右端点のＸ座標がＸｍａｘであり、波線ストロークの中央部分のＹ座標がＹｍａｘであり、波線ストロークよりも上の領域で手書きの密度が急激に低下する部分のＹ座標がＹｍｉｎである場合を考える。この場合は、Ｘ＝Ｘｍｉｎ、Ｘ＝Ｘｍａｘ、Ｙ＝Ｙｍｉｎ、Ｙ＝Ｙｍａｘの各直線で囲まれた矩形領域を、筆跡情報を含む矩形領域とすればよい。その後、対応情報管理部７６は、ステップ７６３でブラウザ管理部７２が記録したＵＲＬと、ステップ７６４で領域特定部７５が算出した矩形領域と、後述するステップ７６６で記憶された識別情報とを対応付けた対応情報を生成して、対応情報記憶部７７に記憶する（ステップ７６５）。一方、筆跡情報が波線ストロークでないと判定されれば、通信制御部７１が、対応付け指示と共に受信した識別情報及び筆跡情報を筆跡管理部７３に渡し、筆跡管理部７３が筆跡情報を構成する各ストローク情報を一意に識別するストロークＩＤを生成し、ストロークＩＤと、識別情報と、ストローク情報とを対応付けて、筆跡管理情報として筆跡管理情報記憶部７４に記憶する（ステップ７６６）。
【００８８】
通信制御部７１は、また、読み取り指示を受信したかどうかを判定する（ステップ７６７）。ここで、読み取り指示を受信していないと判定されれば、処理は終了するが、読み取り指示を受信したと判定されれば、通信制御部７１は、対応付け指示と共に受信した識別情報及び筆跡情報を筆跡管理部７３に渡し、筆跡管理部７３が筆跡情報を構成する各ストローク情報を一意に識別するストロークＩＤを生成し、ストロークＩＤと、識別情報と、ストローク情報とを対応付けて、筆跡管理情報として筆跡管理情報記憶部７４に記憶する（ステップ７６８）。そして、筆跡管理情報記憶部７４に記憶された筆跡管理情報における識別情報及び筆跡情報は対応情報管理部７６に渡され、対応情報管理部７６が、対応情報記憶部７７を参照し、渡された識別情報に対応し、かつ、渡された筆跡情報を含む領域情報に対応するＵＲＬを取得する（ステップ７６９）。その後、ブラウザ管理部７２は、この取得したＵＲＬをブラウザに伝えて、このＵＲＬのコンテンツを表示させる（ステップ７７０）。
【００８９】
即ち、第３の実施例では、コンテンツを対応付ける場合、ユーザは、まず、デジタルペン６０で筆記を行い、コンテンツを対応付けたい領域を指定するために波線を描く。このとき、デジタルペン６０は、ステップ６６２で、波線を区別せずに筆跡情報を携帯端末７０に送信し、携帯端末７０は、ステップ７６４で、波線に基づいて矩形領域を求め、ステップ７６５で、矩形領域とＵＲＬとの対応情報を記憶する。
また、コンテンツを読み取る場合、ユーザは、まず、デジタルペン６０でダブルクリック操作を行う。これにより、デジタルペン６０は、ステップ６６４で、ダブルクリック操作が行われた座標の情報を携帯端末７０に送信し、携帯端末７０は、ステップ７６９で、この座標の情報に基づいてＵＲＬを取得し、ステップ７７０で、取得したＵＲＬのコンテンツを画面に表示する。
【００９０】
尚、図２３のステップ７６６で記憶される筆跡管理情報は図１３に示したものと同様であり、図２３のステップ７６５で記憶される対応情報は図１４に示したものと同様であるので、ここでの詳しい説明は省略する。
以上により、本実施の形態の動作は終了する。
【００９１】
尚、本実施の形態では、筆跡情報を囲むような領域にコンテンツを対応付けるようにしたが、これには限らない。例えば、筆跡情報を構成する点の集合を領域と捉え、筆跡情報そのものにコンテンツを対応付けるようにしてもよい。
また、本実施の形態では、コンテンツを読み取る場合に媒体上で指示する座標も筆跡情報と表現したが、この場合は、デジタルペン６０がインクを吐出することによる筆記でなくてもよい。
【００９２】
ところで、本実施の形態では、デジタルペン６０が筆跡情報を生成し、携帯端末７０が筆跡情報を管理してコンテンツの対応付けや読み取りを行うようにした。しかしながら、これらの処理を如何なる装置で行うかについては種々のバリエーションが考えられる。例えば、筆跡情報の生成は、デジタルペン６０から送られた位置情報に基づいて携帯端末７０が行ってもよいし、筆跡情報の管理をデジタルペン６０が行ってもよい。
そこで、これらの処理をコンピュータ９０で行うものとして、コンピュータ９０のハードウェア構成について説明する。
【００９３】
図２４は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各処理部を実現する。また、メインメモリ９２は、各種ソフトウェアやその実行に用いるデータ等を記憶し、磁気ディスク装置９３は、各種ソフトウェアに対する入力データや各種ソフトウェアからの出力データ等を記憶し、これらの一方又は両方が上述した各記憶部を実現する。
更に、コンピュータ９０は、外部との通信を行うための通信Ｉ／Ｆ９４と、ビデオメモリやディスプレイ等からなる表示機構９５と、キーボードやマウス等の入力デバイス９６とを備える。
【００９４】
尚、本実施の形態を実現するプログラムは、通信手段により提供することはもちろん、ＣＤ−ＲＯＭ等の記録媒体に格納して提供することも可能である。
【符号の説明】
【００９５】
１０…端末装置、２０…文書サーバ、３０…識別情報サーバ、４０…画像形成装置、６０…デジタルペン、７０…携帯端末、８０…ネットワーク
【図１】
2011039794.tif 000003
【図２】
2011039794.tif 000004
【図３】
2011039794.tif 000005
【図４】
2011039794.tif 000006
【図５】
2011039794.tif 000007
【図６】
2011039794.tif 000008
【図７】
2011039794.tif 000009
【図８】
2011039794.tif 000010
【図９】
2011039794.tif 000011
【図１０】
2011039794.tif 000012
【図１１】
2011039794.tif 000013
【図１２】
2011039794.tif 000014
【図１３】
2011039794.tif 000015
【図１４】
2011039794.tif 000016
【図１５】
2011039794.tif 000017
【図１６】
2011039794.tif 000018
【図１７】
2011039794.tif 000019
【図１８】
2011039794.tif 000020
【図１９】
2011039794.tif 000021
【図２０】
2011039794.tif 000022
【図２１】
2011039794.tif 000023
【図２２】
2011039794.tif 000024
【図２３】
2011039794.tif 000025
【図２４】
2011039794.tif 000026